(57)【要約】【課題】けらばカバーを取り付ける際の施工者にかかる負担が軽減される、けらば構造を提供する。【解決手段】けらば構造１は、屋根下地１１の妻側端部および破風板１２を覆うけらばカバー２と、を備える。けらばカバー２は、屋根下地１１の妻側端部および破風板１２を側方から覆う外被覆部２２と、外被覆部２２に設けられ屋根下地１１の妻側端部を上方から覆う上被覆部２３と、を有する。外被覆部２２は、破風板１２の上端部から下端部に対応する部分の一部に破風板１２側に突出する第１凸部２２３と、第１凸部２２３の下端部から破風板１２の下端部に対応する部分の一部に破風板１２側に突出する第２凸部２２４と、を有する。破風板１２には、外被覆部２２側に突出し、第１凸部２２３を支持する支持部材３が固定される。支持部材３は、けらばカバー２が所定位置に固定されるように配置されることを特徴とする。【選択図】図３
2017043926.tif 000002
【特許請求の範囲】
【請求項１】
屋根下地と、前記屋根下地の妻側端部の下部に固定される破風板と、前記屋根下地の妻側端部および前記破風板を覆うけらばカバーと、を備え、
前記けらばカバーは、前記屋根下地の妻側端部および前記破風板を側方から覆う外被覆部と、前記外被覆部に設けられ前記屋根下地の妻側端部を上方から覆う上被覆部と、を有し、
前記外被覆部は、前記破風板の上端部から下端部に対応する部分の一部に前記破風板側に突出する第１凸部と、前記第１凸部の下端部から前記破風板の下端部に対応する部分の一部に前記破風板側に突出する第２凸部と、を有し、
前記破風板には、前記外被覆部側に突出し、前記第１凸部を支持する支持部材が固定され、
前記支持部材は、前記けらばカバーが所定位置に固定されるように配置されることを特徴とするけらば構造。
【請求項２】
前記第１凸部は、その下端部から下方に突出する突出部を有し、
前記支持部材は、その上端部から上方に突出する引掛け部を有し、
前記突出部が、前記引掛け部と前記破風板との間に位置することを特徴とする請求項１に記載のけらば構造。
【発明の詳細な説明】
【技術分野】
【０００１】
本発明は、けらば構造に関する。
【背景技術】
【０００２】
従来、垂木や野地板を有する屋根下地と、屋根下地の妻側端部の下側に固定される破風板と、屋根下地の妻側端部および破風板を覆うけらばカバーと、を備えるけらば構造が知られている（例えば特許文献１参照）。
【０００３】
屋根下地では、野地板の妻側端部が破風板よりもさらに妻側へと突出している。
【０００４】
けらばカバーは、破風板および屋根下地の妻側端部を側方から覆う外被覆部と、屋根下地の妻側端部を上方から覆う上被覆部と、を有する。また、外被覆部には、破風板側に突出する第１凸部と、第１凸部よりも下側に位置し破風板側に突出する第２凸部と、が形成される。
【先行技術文献】
【特許文献】
【０００５】
【特許文献１】特開２０１５−６８０９３号公報
【発明の概要】
【発明が解決しようとする課題】
【０００６】
特許文献１に記載の屋根構造では、けらばカバーを破風板に取り付けるとき、施工者は高所において、野地板の前記突出部分に第１凸部を当てつつけらばカバーを保持しながら、固定具を打ち込む必要がある。そのため、けらばカバーを取り付ける際の施工者への負担が大きかった。
【０００７】
本発明は上記従来の問題点に鑑みて発明したものであって、その目的とするところは、けらばカバーを取り付ける際の施工者にかかる負担が軽減される、けらば構造を提供することを課題とするものである。
【課題を解決するための手段】
【０００８】
上記課題を解決するために、本発明は、以下のような構成とする。
【０００９】
けらば構造は、屋根下地と、前記屋根下地の妻側端部の下部に固定される破風板と、前記屋根下地の妻側端部および前記破風板を覆うけらばカバーと、を備え、前記けらばカバーは、前記屋根下地の妻側端部および前記破風板を側方から覆う外被覆部と、前記外被覆部に設けられ前記屋根下地の妻側端部を上方から覆う上被覆部と、を有し、前記外被覆部は、前記破風板の上端部から下端部に対応する部分の一部に前記破風板側に突出する第１凸部と、前記第１凸部の下端部から前記破風板の下端部に対応する部分の一部に前記破風板側に突出する第２凸部と、を有し、前記破風板には、前記外被覆部側に突出し、前記第１凸部を支持する支持部材が固定され、前記支持部材は、前記けらばカバーが所定位置に固定されるように配置されることを特徴とする。
【発明の効果】
【００１０】
本発明のけらば構造では、けらばカバーを破風板に固定する際に、けらばカバーを支持部材により仮支持できるので、施工者にかかる施工の際の負担が軽減される。
【図面の簡単な説明】
【００１１】
【図１】図１は本実施形態のけらば構造の縦断面図である。
【図２】図２Ａは本実施形態のけらば構造を備えた建物の正面図である。図２Ｂは建物の図２ＡのＺ部分を拡大し、けらばカバーを一部取り除いた破断図である。
【図３】図３は本実施形態のけらば構造の変形例の縦断面図である。
【発明を実施するための形態】
【００１２】
以下、本発明を添付図面に示す実施形態に基いて説明する。
【００１３】
本実施形態は、けらば構造、特に屋根下地の妻側端部および破風板を覆うけらばカバーを取り付けたけらば構造に関する。
【００１４】
本実施形態のけらば構造１は、例えば切妻屋根や片流れ屋根の妻側端部の構造である。けらば構造１は、図１に示すように、屋根下地１１、破風板１２、屋根材１３、けらばカバー２と、を備える。
【００１５】
屋根下地１１は、屋根材１３を建物に取付けるための基礎となる。屋根下地１１は、例えば垂木１１１、野地板１１２、下葺き材１１３、のぼり木１１４及び水切り部材１１５等を有するが、屋根下地１１の構成は限定されない。
【００１６】
垂木１１１は、屋根において最も高い所に位置する棟木と最も低い所に位置する軒桁とに固定されることで傾斜している。この傾斜により屋根は傾斜し、その傾斜方向を本実施形態では屋根勾配方向とする。そして、屋根勾配方向および上下方向に直角な方向を軒方向とする。さらに、軒方向において、屋内に向かう方向を内向きＤ１とし、屋外に向かう方向を外向きＤ２とする。
【００１７】
野地板１１２は、垂木１１１の上に配置される。野地板１１２は、薄い木板を貼り合わせた合板、または木毛や木片を圧縮成型した板材である。
【００１８】
下葺き材１１３は、野地板１１２の上に配置される。下葺き材１１３は、例えばアスファルトルーフィングで形成される。
【００１９】
のぼり木１１４は、野地板１１２の外向きＤ２側の端部の上端部に固定される。のぼり木１１４は、野地板１１２の棟側端部から軒側端部の全長に亘って設けられる。のぼり木１１４は、屋根勾配方向と平行に傾斜する。
【００２０】
水切り部材１１５は、図１に示すように、下葺き材１１３の上に載置される水切り板１１５ａと、水切り板１１５ａをのぼり木１１４に取り付けるための嵌め込み部１１５ｂと、を有する。
【００２１】
水切り板１１５ａには、内向きＤ１側の端部に突条１１５ｃが形成される。突条１１５ｃは２条形成されるが、その数は限定されない。また、水切り板１１５ａの内向きＤ１側端部は、上側から外向きＤ２に向かって折り返される。
【００２２】
水切り部材１１５は、屋根勾配方向に長く形成され、野地板１１２の棟側端部から軒側端部までの全長に亘って設けられる。水切り部材１１５は、屋根勾配方向と平行に傾斜する。
【００２３】
破風板１２は、野地板１１２の外向きＤ２側の端部の下端部に固定される。破風板１２は、屋根勾配方向に長く形成され、野地板１１２の棟側端部から軒側端部までの全長に亘って設けられる。破風板１２は、屋根勾配方向と平行に傾斜する。
【００２４】
屋根材１３は、野地板１１２の上に複数取付けられることにより屋根を構成する。本実施形態の屋根材１３は、軒方向に、凹部と凸部とが繰り返し形成された凹凸屋根材となっている。そして、屋根材１３は、金属によって形成される。屋根材１３の凹部および凸部は、屋根勾配方向の全長に亘って形成される。屋根材１３の妻側端部は、上方に折り返され、さらにその先端が下方に折り返される。
【００２５】
なお、屋根材１３は、例えば断面凹凸状をしたルーフ材、折板屋根材、窯業系の平瓦であってもよい。
【００２６】
けらばカバー２は、図１に示すように、破風板１２に取り付けられる。本実施形態のけらば構造１では、けらばカバー２は、図２Ａに示すように屋根勾配方向に長く形成され、破風板１２の棟側端部から軒側端部までの全長に亘って設けられる。また、けらばカバー２は、屋根勾配方向と平行に傾斜する。
【００２７】
これにより、破風板１２および屋根下地１１の妻側端部が覆われる。なお、けらば構造１では複数のけらばカバー２により破風板１２および屋根下地１１の妻側端部が覆われてもよい。
【００２８】
本実施形態のけらばカバー２は、図１に示すように、断面形状略Ｃ字状であり、その隅部が角張って形成されているが、隅部が丸みを有して形成されてもよい。また、けらばカバー２は円弧状に形成されてもよい。
【００２９】
本実施形態のけらばカバー２は、図１に示すように、下被覆部２１、外被覆部２２、上被覆部２３および縦被覆部２４を有する。
【００３０】
下被覆部２１は、破風板１２の下端よりも下側に配置される。下被覆部２１は、破風板１２を下方から覆う。下被覆部２１は、屋根勾配方向に長く形成され、軒方向に短く形成される。
【００３１】
本実施形態の下被覆部２１では、その内向きＤ１側の端部に水返し片が設けられる。水返し片は、下被覆部２１の内向きＤ１側の端部から上方に突出して設けられる。水返し片では、その突出先端部が外向きＤ２側から下方に向けて折り返される。水返し片では、その折り返された部分が破風板１２に接触する。
【００３２】
外被覆部２２は、下被覆部２１の外向きＤ２側の端部から上方に向けて設けられる。外被覆部２２は、屋根勾配方向に長く、上下方向に短く形成される。
【００３３】
外被覆部２２は、破風板１２より外向きＤ２側に位置する。外被覆部２２は、破風板１２を外向きＤ２側から覆う。すなわち、外被覆部２２は、破風板１２、野地板１１２の妻側端部およびのぼり木１１４を外向きＤ２側から覆う。
【００３４】
外被覆部２２には、内向きＤ１に突出する凸部２２１が形成される。本実施形態の凸部２２１は、断面視略Ｃ字状となっているが、その形状は限定されない。凸部２２１は、屋根傾斜方向に長く、軒方向に短く形成される。ここで、凸部２２１は、けらばカバー２の屋根傾斜方向の全長に亘って形成される。
【００３５】
凸部２２１は、図１に示すように、外向きＤ２側から視て奥面となる奥壁部２２１ａと、下面となる下壁部２２１ｂと、上面となる上壁部２２１ｃと、を有する。
【００３６】
奥壁部２２１ａは、その内向きＤ１側の面が破風板１２の外向きＤ２側の面に接触する。下壁部２２１ｂは、奥壁部２２１ａの下端部から外向きＤ２に延出される。上壁部２２１ｃは、奥壁部２２１ａの上端部から外向きＤ２に延出される。
【００３７】
凸部２２１において、奥壁部２２１ａ、下壁部２２１ｂおよび上壁部２２１ｃで形成される空間を空間２２２とする。凸部２２１の空間２２２には、けらばカバー２を破風板１２に固定するための固定具４０が挿入される。ここで、固定具４０は、釘やビス等から構成される。
【００３８】
本実施形態の外被覆部２２では、凸部２２１が２か所に形成されるが、凸部２２１の数は限定されない。
【００３９】
外被覆部２２では、破風板１２の下端部から上端部の範囲において、上側に位置する凸部２２１を第１凸部２２３とし、第１凸部２２３よりも下側に位置する凸部２２１を第２凸部２２４とする。
【００４０】
第１凸部２２３は、破風板１２の下端部から上端部に対応する部分の一部に設けられる。第１凸部２２３の内部には、空間２２２が形成される。第２凸部２２４は、第１凸部２２３の下端部から破風板１２の下端部に対応する部分に形成される。第２凸部２２４の内部には、空間２２２が形成される。
【００４１】
本実施形態の外被覆部２２において、第１凸部２２３および第２凸部２２４以外の部分は平坦部２２６となっている。
【００４２】
上被覆部２３は、外被覆部２２の上端から内向きＤ１に向かって設けられる。上被覆部２３は、屋根勾配方向に長く、軒方向に短く形成される。
【００４３】
上被覆部２３は、のぼり木１１４の上端よりも上側に配置される。上被覆部２３は、のぼり木１１４および屋根材１３の妻側端部を水切り部材１１５の嵌め込み部１１５ｂを介して上方から覆う。
【００４４】
縦被覆部２４は、上被覆部２３の内向きＤ１側の端部から下方に向かって突出して設けられる。縦被覆部２４は、屋根勾配方向に長く、上下方向に短く形成される。
【００４５】
縦被覆部２４は、屋根材１３の妻側端部よりも上方に位置すると共に、のぼり木１１４よりも内向きＤ１側に位置する。縦被覆部２４は、のぼり木１１４の内向きＤ１側の側面の上側を水切り部材１１５を介して覆う。
【００４６】
けらばカバー２では、上記した下被覆部２１、外被覆部２２、上被覆部２３および縦被覆部２４が一体に形成される。本実施形態のけらばカバー２は、薄い金属板をプレス加工により折り曲げて形成されるが、その製造方法は限定されない。
【００４７】
本実施形態のけらば構造１では、図１に示すように、破風板１２に外向きＤ２に突出する支持部材３が取付けられる。支持部材３は、固定具４０により破風板１２に固定される。
【００４８】
支持部材３は、断面形状が略Ｃ字状となっている。支持部材３は、外向きＤ２側から視て、奥面となる奥面部３１と、下面となる下面部３２と、上面となる上面部３３と、を有する。奥面部３１は、その内向きＤ１側の面が破風板１２の外向きＤ２側の面に接触する。下面部３２は、奥面部３１の下端部から外向きＤ２の方向に向かって延出される。上面部３３は、奥面部３１の上端部から外向きＤ２の方向に向かって延出される。
【００４９】
支持部材３には、けらばカバー２の第１凸部２２３が載置される。支持部材３は、第１凸部２２３が載置されることでけらばカバー２を支持する。そのため、本実施形態の支持部材３の形状は、上記したように断面視略Ｃ字状に限定されず、第１凸部２２３が載置され易い形状であればよい。
【００５０】
支持部材３は、けらばカバー２の第１凸部２２３が載置されたとき、けらばカバー２が所定位置となるよう破風板１２に配置される。ここで、けらばカバー２の所定位置とは、図１に示すようなけらばカバー２の位置を指す。すなわち、所定位置では、下被覆部２１が破風板１２の下方に位置し、第１凸部２２３と第２凸部２２４が破風板１２に接触し、上被覆部２３がのぼり木１１４の上側に位置し、縦被覆部２４がのぼり木１１４の内向きＤ１側に位置する。このように、支持部材３は、けらばカバー２が所定位置となるように、けらばカバー２の第１凸部２２３を支持する位置に配置される。
【００５１】
支持部材３は、図２Ｂに示すように、破風板１２に固定される。また、支持部材３は、屋根傾斜方向の全長に亘って破風板１２に設けられることが好ましい。なお、支持部材３は、複数に分割し、屋根傾斜方向に沿って間隔をあけながら一直線上に破風板１２に固定されてもよい。
【００５２】
本実施形態のけらば構造１は、以上のような構成を備える。
【００５３】
けらば構造１において、けらばカバー２の破風板１２への固定の施工方法について記載する。
【００５４】
従来のけらば構造では、けらばカバーが所定位置になるように、けらばカバーを破風板に固定するため、破風板よりも外側に突出した野地板の先端部分を位置合わせとして用いていた。
【００５５】
そのため、施工者は、けらばカバーの第１凸部の上壁部を野地板の先端部分の下面に押し当てながら保持し、第１凸部および第２凸部の奥壁部に固定具を貫通させ破風板に捻じ込ませ、破風板にけらばカバーを固定する必要があった。
【００５６】
しかし、本実施形態のけらば構造１では、けらばカバー２の第１凸部２２３を破風板１２に固定された支持部材３に置くだけで、けらばカバー２を所定位置に位置させることができる。
【００５７】
そのため、施工者は、支持部材３の上面部３３にけらばカバー２の下壁部２２１ｂを置き、第１凸部２２３または第２凸部２２４の奥壁部２２１ａに固定具４０を貫通させ破風板１２に捻じ込ませるだけで、けらばカバー２を所定位置に固定できる。
【００５８】
従って、本実施形態のけらば構造１では、けらばカバー２を所定位置に仮支持できる支持部材３が破風板１２に設けられるので、けらばカバー２の破風板１２への固定を容易に行うことができる。そのため、施工者の施工の負担が軽減される。
【００５９】
また、従来のけらば構造では、木材で形成される野地板を位置合わせに用いていた。ここで、野地板は、合板、木毛や木片で構成される板材であるため野地板の表面に不陸が形成され易い。野地板の表面に不陸が生じていると、けらばカバーの位置合わせの精度が低くなってしまう。そのため、従来のけらば構造では、けらばカバーを屋根傾斜方向に平行に傾斜させて固定することが困難であった。
【００６０】
しかし、本実施形態のけらば構造１では、野地板１１２を用いずに支持部材３を用いてけらばカバー２の位置合わせを行なっている。ここで、支持部材３がアルミニウム、ステンレス、合成樹脂等の剛性が高い材料で形成されると、支持部材３が撓み難くなり、支持部材３に不陸が生じ難くなる。
【００６１】
これにより、けらばカバー２を屋根傾斜方向に平行に傾斜させて固定することが容易となる。この場合、支持部材３は、屋根傾斜方向の全長に亘って破風板１２に固定されることが好ましい。
【００６２】
＜変形例＞
本実施形態のけらば構造１の変形例について図３に基づいて説明する。
【００６３】
本変形例のけらば構造１では、第１凸部２２３が、その下壁部２２１ｂに突出部２２５を有する。また、支持部材３が、その上面部３３に引掛け部３３１を有する。
【００６４】
突出部２２５は、第１凸部２２３の下壁部２２１ｂの内向きＤ１側の端部から下方に突出して設けられる。突出部２２５は、断面視略矩形状となっているが、その形状は限定されない。また、けらば構造１では、突出部２２５の外向きＤ２側の端部と、平坦部２２６の第１凸部２２３から第２凸部２２４までの部分と、の間には隙間（以下、第１隙間２５とする）が形成される。
【００６５】
引掛け部３３１は、支持部材３の上面部３３の外向きＤ２側の端部から上方に突出して設けられる。引掛け部３３１の上部は、断面視略鉤状となっている。また、引掛け部３３１の上端部は内向きＤ１に行く程下方に位置するように傾斜している。また、けらば構造１では、引掛け部３３１と破風板１２との間には隙間（以下、第２隙間３４とする）が形成される。
【００６６】
第１隙間２５には、支持部材３の引掛け部３３１が挿入される。第２隙間３４には、けらばカバー２の突出部２２５が挿入される。すなわち、突出部２２５が引掛け部３３１よりも内向きＤ１側に位置し、突出部２２５の下端が引掛け部３３１の上端よりも下側に位置する。
【００６７】
これにより、本変形例のけらば構造１では、けらばカバー２が所定位置から外向きＤ２に動いたとき、支持部材３の引掛け部３３１に突出部２２５が、引っ掛かる。そのため、施工者が手を離しても、けらばカバー２が所定位置に配置され、施工者の施工の負担が軽減される。
【００６８】
以下に本変形例のけらば構造１における、けらばカバー２の破風板１２への固定の施工方法について説明する。
【００６９】
本変形例のけらば構造１では、施工者は、破風板１２に支持部材３を固定する。施工者は、第２隙間３４にけらばカバー２の突出部２２５を挿入すると共に、第１隙間２５に支持部材３の引掛け部３３１を挿入する。施工者は、第２凸部２２４の奥壁部２２１ａに固定具４０を貫通させ破風板１２に捻じ込み、けらばカバー２を破風板１２に固定する。
【００７０】
従来のけらば構造では、第１凸部と第２凸部に固定具を捻じ込んでけらばカバーを破風板に固定していた。そのため、破風板の外向き側の面に不陸があると、外被覆部における第１凸部と第２凸部の間の平坦部に撓みが発生し易かった。
【００７１】
しかし、本変形例のけらば構造１では、けらばカバー２の突出部２２５が支持部材３の引掛け部３３１に引掛けられるので、固定具４０による固定が第２凸部２２４だけでよい。従って、破風板１２の外向きＤ２側の面に不陸があっても、外被覆部２２における第１凸部２２３と第２凸部２２４の間の平坦部２２６に撓みが発生し難い。
【００７２】
本実施形態のけらば構造１は、以下の構成を備える。
【００７３】
けらば構造１は、屋根下地１１と、屋根下地１１の妻側端部の下部に固定される破風板１２と、屋根下地１１の妻側端部および破風板１２を覆うけらばカバー２と、を備える。けらばカバー２は、屋根下地１１の妻側端部および破風板１２を側方から覆う外被覆部２２と、外被覆部２２に設けられ屋根下地１１の妻側端部を上方から覆う上被覆部２３と、を有する。外被覆部２２は、破風板１２の上端部から下端部に対応する部分の一部に破風板１２側に突出する第１凸部２２３と、第１凸部２２３の下端部から破風板１２の下端部に対応する部分の一部に破風板１２側に突出する第２凸部２２４と、を有する。破風板１２には、外被覆部２２側に突出し、第１凸部２２３を支持する支持部材３が固定される。支持部材３は、けらばカバー２が所定位置に固定されるように配置されることを特徴とする。
【００７４】
これにより、支持部材３がけらばカバー２を所定位置に仮支持でき、施工者の施工の負担が軽減される。
【００７５】
また、本実施形態の変形例のけらば構造１は、以下の構成を備える。
【００７６】
第１凸部２２３は、その下端部から下方に突出する突出部２２５を有する。支持部材３は、その上端部から上方に突出し、所定位置に位置するけらばカバー２の突出部２２５が引っ掛かる引掛け部３３１を有する。
【００７７】
第１凸部は、その下端部から下方に突出する突出部２２５を有する。支持部材３は、その上端部から上方に突出する引掛け部３３１を有する。突出部２２５が、引掛け部３３１と破風板と１２の間に位置する。
【００７８】
これにより、固定具４０による固定が第２凸部２２４だけで済み、破風板１２の表面に不陸があっても、外被覆部２２における第１凸部２２３と第２凸部２２４の間の平坦部２２６に撓みが発生し難い。
【符号の説明】
【００７９】
１      けらば構造
１１    屋根下地
１２    破風板
２      けらばカバー
２２    外被覆部
２２３  第１凸部
２２４  第２凸部
２３    上被覆部
３      支持部材
３３１  引掛け部
【図１】
2017043926.tif 000003
【図２】
2017043926.tif 000004
【図３】
2017043926.tif 000005